Podtech/llm-jp-corpus-v4-ja_patent huggingface dataset:
(57)【要約】【課題】  農作物等の生産者が、直接販売する直売所で、、野菜類の鮮度を長持ちさせるシステムを提供する。【解決手段】  農作物直売所の販売棚に、縁の浅い容器を設置し、片端に水道蛇口を配置、容器の反対側の縁には、漏水口を取り付け、底部に栓つきの排水口を設ける。容器の水流の中に網状の買い物カゴを複数個配列するのを特徴とする野菜鮮度保持装置。【選択図】図１
2013013387.tif 000002
【特許請求の範囲】
【請求項１】
販売棚の上に、棚の広さと同じ位で、縁の高さの浅い箱状の容器を設置し、片端に水道の蛇口を１カ所、又は複数カ所配置、容器の反対側には、縁の上部に漏水口を取り付け、底部には栓つきの排水口を設け、容器の中に網状の買い物カゴを、複数個配列するのを特徴とする販売所等に於ける野菜鮮度保持装置。
【発明の詳細な説明】
【技術分野】
【０００１】  本発明は、生産者の直売所等での野菜、花き類等の鮮度を、長持ちさせるための機器に関するもの。
【背景技術】
【０００２】  直売所では、生産者が直接農作物を陳列棚に並べて販売しているが、特に葉っぱものの野菜類は，朝出して夕方には表面が萎びてくる悩みがあった。
【先行技術文献】
【０００３】  水を利用する方法では農作物を種苗から育てる水耕栽培はあるが、本発明のような、陳列容器に水を流し収穫した野菜類の鮮度を長持ちさせる装置はなかった。
【発明の概要】
【発明が解決しようとする課題】
【０００４】  切り花などの花き類は、水を入れたバケツに入れて、鮮度を保つようにしているが、他の野菜類は、販売台に並べた時から劣化し始める。
本発明は、野菜類の鮮度を長持ちするためになされたものである。
【課題を解決するための手段】
【０００５】  販売棚の上に、棚の広さと同じ位で、縁の高さの浅い箱状の容器を設置し、片端に水道の蛇口を１カ所、又は複数カ所配置、容器の反対側には、縁の上部に漏水口を取り付け、底部には栓つきの排水口を設け、容器の中に網状の買い物カゴを、複数個配列するのを特徴とする販売所等に於ける野菜鮮度保持装置である。
【発明の効果】
【０００６】  直売所は、生産者が直接持ち込む穫れたての新鮮な野菜を販売しているが、収穫後は、水分の蒸発で、鮮度はどんどん落ちている。
本発明の水道水の流れる容器の中に、野菜等を浸すシステムの利用により、お客はみずみずしい野菜を購入でき、生産者は日持ち良く長時間、商品価値を維持できる効果がある。
【図面の簡単な説明】
【０００７】
【図１】  本発明の販売棚の斜視図
【発明を実施するための形態】
【０００８】  販売棚１の上に、販売棚の広さと同じ位で、縁２の高さの浅い箱状の容器３を設置する。
陳列台の片端に水道の蛇口４を１カ所又は複数カ所に配置する。常時、水を流し、容器の反対側の縁の上部に、漏水口５を取り付け、容器の底部には栓つきの排水口６を設ける。容器３の水流の中に網状の買い物カゴ７を複数個配列し、カゴ７の中に野菜を立てて入れ陳列するものである。
又、漏水は循環パイプ８と連結し小型の循環ポンプ９を回せば、水のリサイクルになり、大幅な水道料の節減も出来る装置である。
【産業上の利用可能性】
【０００９】  通常の販売方法では、２〜３日で見違えるほど劣化するが、このシステムの採用により、野菜は１週間から１０日以上も鮮度保持を可能にする。
【符号の説明】
【００１０】  １        販売棚
２        容器の縁
３        容器
４        蛇口
５        漏水口
６        排水口
７        買い物カゴ
８        循環パイプ
９        小型ポンプ
【図１】
2013013387.tif 000003
(57)【要約】【課題】暗黒（ダーク）エネルギーから電気エネルギーを得る。【解決手段】真空中でごくわずかに離した金属板２枚のあいだで対生成する電子と陽電子を同じ電圧をかけて蓄電池に充電するカシミア効果と暗黒（ダーク）エネルギーは真空のエネルギーであり同一とみなし宇宙空間のどこでも電気エネルギーが得られる。【選択図】なし【特許請求の範囲】
【請求項１】
（イ）真空管で真空を作るか、宇宙空間の真空を利用する。
（ロ）その真空中にごくわずかに離した金属板を２枚用意する。
（ハ）金属板２枚の間に電子と陽電子が対生成する。
（二）これらが対消滅する前の対生成した時点でその電力と同じ電圧をかけ、蓄電池に充電する。
（ホ）さらにこのカシミア効果は真空のエネルギーであり暗黒（ダーク）エネルギーと同じでどこの宇宙空間でも電気エネルギーを得られ、従来の宇宙空間での太陽電池使用でなくとも太陽光の届かない所でも電気エネルギーの供給源となる。
以上の如く特徴を持つ暗黒（ダーク）エネルギー利用カシミア効果利用発電機。
【発明の詳細な説明】
【技術分野】
【０００１】  本発明は、暗黒（ダーク）エネルギー利用カシミア効果利用発電機に関する。
【背景技術】
【０００２】  従来、ダークエネルギーの正体は分からず利用はなかった。（例えば非特許文献１参照。）。【０００３】
【非特許文献１】「ニュートン」、２０１２年１０月号、１８頁から４５頁
【非特許文献２】「真空とインフレーション宇宙論」、２００７年６月２０日、７２頁から１０７頁
【発明の開示】
【発明が解決しようとする課題】
【０００４】  従来、ダークエネルギーの正体は分からず利用はなかった。
【課題を解決するための手段】
【０００５】  真空中のエネルギーとしてカシミア効果のエネルギーとダークエネルギーは同一とする。
【発明の効果】
【０００６】  宇宙空間や真空管の真空中で電気エネルギーを得る。
【発明を実施するための最良の形態】
【０００７】    真空管で真空を作るか、宇宙空間の真空を利用し、その真空中にごくわずかに離した金属板を２枚用意する。すると金属板２枚の間に電子と陽電子が対生成するのでこれらが対消滅する前の対生成した時点でその電力と同じ電圧をかけ、蓄電池に充電する。さらにこのカシミア効果は真空のエネルギーであり暗黒（ダーク）エネルギーと同じでどこの宇宙空間でも電気エネルギーを得られ、従来の宇宙空間での太陽電池使用でなくとも太陽光の届かない所でも電気エネルギーの供給源となる。以上の如く特徴を持つ暗黒（ダーク）エネルギー利用カシミア効果利用発電機。
【実施例】
【０００８】    上記の非特許文献１と２の如く実施される。
【産業上の利用可能性】
【０００９】    暗黒（ダーク）エネルギー利用カシミア効果利用発電機は宇宙空間どこでも発電可能で将来宇宙空間に人類が進出した場合、宇宙産業の利用可能性は大きい。
(57)【要約】【課題】新規な食用可能な糸・紐を提供する。【解決手段】植物性食物の繊維からなる食用糸又は紐。【選択図】なし【特許請求の範囲】
【請求項１】
植物性食物の繊維からなる食用糸又は紐。
【請求項２】
前記植物性食物が、野菜又は果物である請求項１記載の食用糸又は紐。
【請求項３】
前記植物性食物が、ごぼう又はアスパラガスである請求項２記載の食用糸又は紐。
【請求項４】
請求項１〜３のいずれか記載の食用糸又は紐を巻いた肉加工食品。
【請求項５】
請求項１〜３のいずれか記載の食用糸又は紐を芯に用いたキャンドル。
【発明の詳細な説明】
【技術分野】
【０００１】
本発明は、植物性食物繊維からなる食用糸・紐に関する。
【背景技術】
【０００２】
食材の加熱時の変形を抑制し出来上がり時の見た目を良くするために、食材（食肉類・野菜果実類等）の形を加熱前に整えたり、維持したりするために、木綿の凧紐等を、食材に巻くことが行われている。例えば、ハムや焼豚を作る際は肉塊を紐で巻いて加熱等加工する。これらの紐は食べるときは取り除かなくてはならないが、食品に食い込んでいるため、手が汚れたり、食品を傷つけたり又は食品の一部も取り除いてしまったりすることがよくある。さらに、紐の一部が残っていると誤って口にする恐れもあった。
【０００３】
尚、特許文献１には、可食性紐として、ロールキャベツに使用できるコンニャクから製造した紐が記載されている。
特許文献２にはバナナの茎から繊維を取り出し衣料用繊維を製造することが記載され、特許文献３には大根から繊維を取り出しシート状食品を製造することが記載されている。
【先行技術文献】
【特許文献】
【０００４】
【特許文献１】特開平７−２３７２３号公報
【特許文献２】特開平９−３１３１１５号公報
【特許文献３】特開２００４−５２１７６号公報
【発明の概要】
【発明が解決しようとする課題】
【０００５】
本発明は、新規な食用可能な糸・紐を提供することを目的とする。
【課題を解決するための手段】
【０００６】
本発明によれば、以下の食用糸又は紐等が提供される。
１．植物性食物の繊維からなる食用糸又は紐。
２．前記植物性食物が、野菜又は果物である１記載の食用糸又は紐。
３．前記植物性食物が、ごぼう又はアスパラガスである２記載の食用糸又は紐。
４．１〜３のいずれか記載の食用糸又は紐を巻いた肉加工食品。
５．１〜３のいずれか記載の食用糸又は紐を芯に用いたキャンドル。
【発明の効果】
【０００７】
本発明によれば、新規な食用可能な糸・紐が提供できる。
【発明を実施するための形態】
【０００８】
本発明の食用糸又は紐は、植物性食物の繊維からなる。
使用する植物性食物は、野菜、果物、穀物、豆等であり、具体的には、あわ、大麦、きび、小麦粉、玄米、そば、とうもろこし、はとむぎ、ひえ、ライ麦、じゃがいも、やまのいも、そらまめ、だいず、明日葉、アスパラガス、いんげんまめ、おかひじき、かぶ、かぼちゃ、かんぴょう、からしな、きゅうり、ぎょうじゃにんにく、ごぼう、こまつな、ザーサイ、しょうが、ずいき、せり、セロリー、ぜんまい、大根、たけのこ、なずな、にら、ねぎ、のざわな、はくさい、はす、パセリ、ホウレン草、ピーマン、ふき、もやし、よもぎ、りんご、ミカン、グレープフルーツ、レモン、パイナップル、バナナ、マンゴ等であり、繊維（すじ等）を多く含むものが好ましい。また、本発明の糸・紐はヒトが摂取するものであるから、素材は毒性の無いものが好ましい。
これらの植物性食物の可溶性繊維と不溶性繊維を配合して、糸の強度や耐久性を調整することができる。
【０００９】
本発明は、基本的には木綿や麻等の繊維から製造される糸・紐において、繊維として植物食物の繊維を利用することで、可食の糸・紐を製造する。
本発明の繊維は、原料となる植物の繊維部分と肉質の部分を分離させて製造する。例えば、植物を煮沸した後で濾す、水等に浸して肉質部分を腐らせ繊維だけを取り出す、又はミキサー、ジューサー、圧搾機で粉砕し濾したりする。その後、乾燥させて原料繊維とする。この繊維を紡績して糸とする。繊維を撚って糸としてもよい。さらに、糸を束ね、又は撚って紐とすることができる。尚、製造の際に灰と共に煮てあくを取り除いてもよい。
【００１０】
製造の際、適宜必要に応じ、澱粉、糊、油、油脂、凝固剤等を用いることができる。また、各種食品添加剤を用いることができる。例えば、防腐剤、防カビ剤を用いて保存性を高めてもよい。漂白剤、着色料、香料を用いて、美感を高めてもよい。さらに、調味料を加えて、味を改良してもよいし、加工の補助（隠し味等）としてもよい。
本発明の糸・紐は、主に植物繊維からなり、８０重量％以上、９０重量％以上，９５重量％以上、９８重量％以上又は１００重量％を植物繊維由来としてよい。
【００１１】
本発明の糸・紐は、米類・野菜類・芋類等の食物に含まれる食物繊維から製造しているため、食しても身体に害はない。さらに、現代人に不足がちな食物繊維を補うこともできる。
【００１２】
本発明の一実施形態の糸・紐は、加熱調理等の加工時に食材の形を整えるために、例えば、ローストビーフ、ローストチキン、ローストポーク、ハム、焼ブタに使用できる。使用後、取り除いてもよいが、取り除かずに食してもよい。
他の実施形態の糸・紐は、ロールキャベツ、油揚げ等の袋状食材の結び紐等、食材を結ぶためにも使用できる。
さらに他の実施形態の糸・紐は、適宜着色剤や香料を用いて、菓子やパン等の食物の装飾に用いることもできる。
また、他の実施形態では、ケーキに用いるキャンドルについて、本体部分を可食の材料（例えば食用油脂や油）で製造し、芯に本発明の糸を用いれば、火を灯し消した後、キャンドルは捨てること無くそのままケーキと共に食すことができる。この場合は、食物繊維をほぐして撚り（ねじり）をかけて糸状にし、毛細管現象を惹起できる形態とすることが好ましい。
【００１３】
本発明の糸・紐は、上記に例示する用途に用いられるが、通常、衣服を製造するための糸や、物を繋ぎ止める等長期間用いる紐のような強度と耐久性は求められない。食材の加工や調理の際等の、一定の時間と温度内で変化が無いか変化が少ない、強度と耐久性を有すればよい。
【実施例】
【００１４】
以下、実施例により本発明を具体的に説明するが、本発明は下記の実施例に限定されるものではない。
実施例１
ごぼうを洗浄し、鍋に水を入れて煮た。柔らかくなったら鍋から取り出し濾し器で濾した。濾し器に残ったものをさらに鍋に水と共に入れて煮た。煮るのと濾すのを数回繰り返し、得られた粗繊維を乾かした後、撚って糸を得た。約８ｃｍの糸が得られた。
【００１５】
実施例２
乾かした粗繊維にオリーブ油を含ませて糸を撚った他は実施例１と同様にして糸を得た。糸を撚る際、粗繊維は切れ難かった。
【００１６】
実施例３
ごぼうの代わりにアスパラガスを用いた他は、実施例１と同様にして糸を得た。約３０ｃｍの強度の高い糸が得られた。
【産業上の利用可能性】
【００１７】
本発明の糸・紐は、可食な食材として食品業界で使用できる。
(57)【要約】【課題】従来の屋内の排気ダクトは排気の機能や物理的、化学的な脱臭機能があっても、有機的な脱臭機能を備えたものがない課題がある。【解決手段】本発明は有機性廃棄物の処理場など、臭気を多量に発生する建物の天井に角型のダクト管を配置し、ダクト管排気部の内部には広葉樹の枯れ枝葉とプラスチック製網状骨格体の接触材とを交互に多量に充填したことを特徴とする有機脱臭ダクトである。【選択図】図２
2013013882.tif 000002
【特許請求の範囲】
【請求項１】
有機性廃棄物の処理場など、臭気を多量に発生する建物の天井に角型ダクトを配置し、ダクト管排気部の内部には広葉樹の枯れ枝葉とプラスチック製網状骨格体の接触材とを交互に多量に充填し、長時間、広葉樹の枯れ枝葉やプラスチック製網状骨格体に寄生する微生物と接触して、臭気成分を分解することを特徴とする有機脱臭ダクト。
【発明の詳細な説明】
【技術分野】
【０００１】  本発明は有機性廃棄物の処理場などに設置する有機脱臭ダクトに関するものである。
【背景技術】
【０００２】  従来の屋内の排気ダクトは排気機能や、物理的に又は化学的に塵埃を除去するものや、オゾン脱臭するものや、加熱脱臭するものがあっても、有機的な脱臭機能を備えたものがない課題があった。且つ、短いコンパクトな微生物脱臭装置であったため、臭気の接触時間が短いなどの課題があった。
【先行技術文献】
【特許文献】
【０００３】
【特許文献１】特開平０６−３０７０６７号公報
【特許文献２】特開平０８−０４２８９２号公報
【特許文献３】特開平２００３−０２４９０６号公報
【発明の概要】
【発明が解決しようとする課題】
【０００４】  即ち、従来の排気ダクトは単に物理的や化学的な塵埃除去や、脱臭をするものが主流で、臭気成分を生物、微生物による長時間脱臭など有機的な脱臭方法を採用したものが無い課題があった。
【課題を解決するための手段】
【０００５】  この課題を解決するための技術的手段は次の通りである。
即ち、有機性廃棄物の処理場など、臭気を多量に発生する建物の天井に角型のダクト管を配置し、ダクト管排気部の内部には広葉樹の枯れ枝葉とプラスチック製網状骨格体の接触材とを交互に多量に充填し、長時間、広葉樹の枯れ枝葉やプラスチック製網状骨格体に寄生する微生物と接触して、臭気成分を分解することを特徴とする有機脱臭ダクトである。
【発明の効果】
【０００６】  以上のような構成にすると、ダクト管排気部の広葉樹枯れ枝葉とプラスチック製網状骨格体の接触材の表面には自然発生的に微生物が繁殖して、臭気成分を分解脱臭する効果がある。
【図面の簡単な説明】
【０００７】
【図１】有機性廃棄物の処理場など、建物内の天井に角型ダクトを配置した鳥瞰図である。
【図２】本発明、角型ダクトの内部を示す平面断面図である。
【発明を実施するための形態】
【０００８】  次に、本発明を実施するための形態について、実施例を図１、図２について説明する。
【０００９】  図１、図２において、１は有機性廃棄物の処理場などの建物である。２はこの建物天井にスパイラル状に配置した角型ダクトである。３はダクトの排気ブロワーである。４はダクトの複数の吸気口である。５は広葉樹枯れ枝葉である。６はプラスチック製網状骨格体の接触材である。
【００１０】  これら、５、６、の部材を図２のように交互に配列して、充填している。３のダクトブロワーの風圧は高く、風量を少量ににして、排気を緩やかにして、吸気中の臭気成分を緩やかに、充分に分解するようにしている。
【産業上の利用可能性】
【００１１】  本発明の実施例は有機性廃棄物処理場の有機脱臭ダクトを開示しているが、食品工場や、外食産業建物などにも適用できる。
【符号の説明】
【００１２】１  有機性廃棄物処理場などの建物
２  角型ダクト
３  排気ブロワー
４  吸気口
５  広葉樹枯れ枝葉
６  プラスチック製網状骨格体の接触材
【図１】
2013013882.tif 000003
【図２】
2013013882.tif 000004
(57)【要約】【課題】自走式車椅子は、一般に利用者が手で後輪のハンドリムを回す事で、前進あるいは後退する。しかし利用者の中には、ハンドリムの手前にある後輪のタイヤを回す癖のある人がおり、床を転がるタイヤの汚れが利用者の手に付着してしまう。【解決手段】  タイヤの上に変位可能なカバーを付けることにより、タイヤを手で回しても手が汚れないようにすることが可能となる。【選択図】図１
2013013698.tif 000002
【特許請求の範囲】
【請求項１】
通常の自走式車椅子の、利用者が座って手が届く範囲で車椅子の後輪の上に設置された、少なくとも後輪タイヤを回す方向に伸縮変位可能な、車椅子の座面両脇のフレームに脱着可能に取り付けたカバー。
【請求項２】
シート部１ｄの材料として、伸縮性のある布・ゴムなどの材料で構成された請求項１のカバー。
【請求項３】
シート部１ｄの材料の両端に、ゴムやスプリング１ｅ、あるいはゼンマイを結合した請求項１のカバー。
【発明の詳細な説明】
【技術分野】
【０００１】  この発明は、自走式車椅子において、利用者自身が手で動かす車椅子に関する。
【背景技術】
【０００２】  歩行等が不自由な状態にある利用者の移動手段として、車椅子が使用されている。
自走式は利用者が、手で後車輪のハンドリムを回転させる。
【先行技術文献】
【特許文献】
【０００３】
【特許文献１】特開平１０−１２７６９８号公報
【特許文献２】特開２００１−８７３２１号公報
【特許文献３】特許第３５５１２５６号
【特許文献４】登録実用新案  第３１０８２２５号
【発明の概要】
【発明が解決しようとする課題】
【０００４】  しかしながら、利用者によっては心身の能力が落ちているので、手でハンドリム５を回さずに、近くにある後輪のタイヤ４を直に回す人も少なからずある。タイヤは床の汚物を付着しているので、これが利用者の手に再付着して不潔になっている。あるいはハンドリムに手が届いても、手前の汚れたタイヤ４にも手や衣服が触れてしまうことも多い。
利用者が手袋により手の汚れを防ぐことも考えられるが、手袋の着脱を利用者自身ではできないことが多いので介助者が必要になる上、手袋を利用者に装着させることもそう簡単ではない場合が多い。
そこで本発明は、どうしてもタイヤに手を触れてしまう利用者に対して、従来の自走式車椅子に簡単に取り付けられるカバーを介して、タイヤを掴んで駆動することにより、手を汚さないで済むようにすることを課題とする。【０００５】  先行の特許文献１は、後輪タイヤの上に可動カバーを配し、カバーは後輪の車軸に乗ったフレームに取り付けられている。構造が複雑で、ハンドリムで後輪を駆動することを想定した通常の車椅子に取り付けられず、車椅子の改造が必要である。
特許文献２〜４は、タイヤの上の可動カバーはやはり車軸に設けており、これも構造が複雑で、通常の車椅子に追加取り付けするには車軸の形状まで変更する大改造が必要である。
【課題を解決するための手段】
【０００６】  以上の課題を解決するために、利用者が手を触れやすい後輪のタイヤ４の上部に、変位可能なカバー部１を簡単に取り付けられるようにした。
【発明の効果】
【０００７】  カバーが変位可能ならば、タイヤを回す癖がついている利用者も、カバーの上からタイヤに触れて、タイヤを回すことができる。タイヤを前後に動かすと変位可能なカバーも同時に動くが、連続して車椅子を漕ぐために手を戻す間に、カバーは元に戻る。
この方法によれば、ハンドリムでなく後輪のタイヤを回す癖がついている利用者の手を汚す事がない。
また正規にハンドリムを回すことができる利用者にも、カバーを外すことなく使ってもらうことができる上、万一袖口がタイヤに触れた場合もその汚染を防止できる。
本カバーは、従来の市販の自走式車椅子に取り外しが簡単にできるので、正規にハンドリムを回すことができる利用者はカバーを取り付けることなく、同じ車椅子を使うことができる。
【図面の簡単な説明】
【０００８】
【図１】この発明の一実施形態を示す概観図である。
【図２】カバーを通常の車椅子に取り付ける実施例を示す正面・側面図である。
【図３】カバーを通常の車椅子に取り付ける他の実施例を示す正面図である。
【発明を実施するための形態】
【０００９】  この発明の一実施形態を図１に示す。利用者が後輪を回すときに手を動かす範囲に亘って、後輪タイヤ４の上部にカバー部１を、左右の車輪上部に勝手反対に設ける。
カバー部は、通常の自走式車椅子のフレーム３を利用して取り付ける。フレームは、利用者の両サイドのアームレスト取り付け部付近から、前輪キャスターと後輪を結ぶフレーム付近まで、本カバー部を後付けできる部分を指す。後輪タイヤを圧迫して回転を止める手動ブレーキ部分にカバー部が掛かる場合は、ブレーキとタイヤの間にカバー部を通し、ブレーキより下のフレームに下部カバー取り付け部を設置する。図２、図３に示す実施例は、いずれも上部カバーの取り付け部１ａを例として示しているが、下部のカバー取り付け部１ｂも、上部のカバー取り付け部と同じ構造である。
図２の例は、車椅子のフレーム３にクランプ１ｃを介してバネ１ｆを一体に取り付け、このバネにカバーのシート部１ｄを取り付けている。クランプ方法は、二つ割れの材料をボルト・ナットなどで締結したり、樹脂材料などの弾力性を利用してフレーム３に嵌め込む方式でもよい。
カバーは伸縮変位可能な材料で構成する。例えばジャージやニットなどの布や、ゴムなどの弾力性材料がある。またバネ１ｆのみで充分な変位が得られれば、カバーのシート部は伸縮しない材料でもよい。カバーがタイヤと接触して汚れた部分は、カバーを取り外し、ときどき清掃または洗濯をして、清潔に使用する事ができる。
【００１０】  この実施形態によれば、カバー部を介してタイヤを手で回す際に、バネはカバーのシート部に引っ張られて先端が撓み、カバーのシートが伸縮性材料の場合は相俟って変位し、手でタイヤを押したり引いたりして正逆回転させることができる。
【実施例】  図３は他の実施例で、クランプ１ｃにカバー取り付けロッド１ｇをハングさせ、ロッドには伸縮ゴムまたはスプリング１ｅを介してカバーを取り付ける。
図示しないが、伸縮ゴムまたはスプリングの代わりに、ゼンマイのような渦巻状バネの伸縮を利用してもよい。この場合の実施態様は、巻尺を引き出した後、再び収納するとき、自動的に再び巻き取られていく機構となる。
【符号の説明】
【００１１】  １    カバー部
１ａ  カバー取り付け部（上部）
１ｂ  カバー取り付け部（下部）
１ｃ  クランプ
１ｄ  カバーのシート部
１ｅ  ゴムまたはスプリング
１ｆ  バネ
１ｇ  ロッド
２    アームレスト
３    車椅子のフレーム
４    後輪タイヤ
５    ハンドリム
６    前輪キャスター
７    手動ブレーキ
【図１】
2013013698.tif 000003
【図２】
2013013698.tif 000004
【図３】
2013013698.tif 000005
(57)【要約】【課題】従来のドラム式洗濯機は洗濯物を持ち上げて落下させる所謂リフターをドラム内に配列し、洗濯物を、持ち上げ、落下させて洗濯する方式であった。このような固定したリフターで洗濯物を持ち上げ、落下させる洗濯方法は、洗濯物に与える機械力が小さいので、洗濯時間が長くなる課題があった。【解決手段】本発明はこの従来の課題を解決するために、所謂、ドラム内の洗濯物を持ち上げ、落下させるリフターの形状を回転ローラーにし、この回転ローラーを複数個配列し、このローラーの形状は長円筒の形状、または、そろばん玉を並べた形状のローラーとしたことを特徴とするドラム式洗濯機である。【選択図】図１
2013013699.tif 000002
【特許請求の範囲】
【請求項１】
ドラム式洗濯機において、所謂、ドラム内の洗濯物を持ち上げるリフターの形状を回転ローラーにし、この回転ローラーを複数個配列し、このローラーの形状は長円筒の形状、または、そろばん玉を並べた形状のローラーとしたことを特徴とするドラム式洗濯機。
【発明の詳細な説明】
【技術分野】
【０００１】  本発明は所謂ドラム式洗濯機において、洗濯方法を改良したドラム式洗濯機に関するものである。
【背景技術】
【０００２】  従来の所謂ドラム式洗濯機はドラムを回転して、ドラム内に設けたリフターで、洗濯物を持ち上げ、落下させて、洗濯物を洗濯する方法であった。
【先行技術文献】
【特許文献】
【０００３】
【特許文献１】特開２００８−０９９８０１
【特許文献２】特開２００５−３３４５６５
【特許文献３】特開２００５−１３７８８９
【特許文献４】特開２００５−１３７８８７
【発明の概要】
【発明が解決しようとする課題】
【０００４】  即ち、従来の所謂ドラム式洗濯機はドラムを回転して、ドラム内に設けたリフターで、洗濯物を持ち上げ、落下させて、洗濯物を洗濯する方法であった。この方法では洗濯物に与える機械力が少ないので、洗濯力が弱く、洗濯時間が長くかかる課題があった。
【課題を解決するための手段】
【０００５】  本発明はこの従来の課題を解決するために、所謂、ドラム内の洗濯物を持ち上げるリフターの形状を回転ローラーにし、この回転ローラーを複数個配列し、このローラーの形状は長円筒の形状、または、そろばん玉を並べた形状のローラーとしたことを特徴とするドラム式洗濯機である。
【発明の効果】
【０００６】  本発明は、所謂ドラム式洗濯機において、ドラム内の洗濯物を持ち上げるリフターの形状を回転ローラーにし、この回転ローラーを複数個配列し、このローラーの形状は長円筒の形状、または、そろばん玉を並べた形状のローラーとしたことにより、従来のリフターに比べて洗濯物に与える機械力が多くなり、洗濯力が向上し、洗濯時間が短縮できて、省エネルギーの効果が発揮できる。
【図面の簡単な説明】
【０００７】
【図１】本発明のドラム式洗濯機の断面図である。
【図２】本発明ドラム式洗濯機のドラムの正断面図である。
【図３】本発明ドラム式洗濯機の回転ローラーの実施例図である。
【発明を実施するための形態】
【０００８】  次に、本発明を実施するための形態について実施例を図１〜図３ついて説明する。
【０００９】  図１、図２において、１は本発明のドラム式洗濯機本体、２は小穴を多数あけた洗濯兼脱水ドラム、３は脱水を受ける外槽ドラムである。４は本発明のドラム式洗濯機の回転ローラー。５は前記の外槽ドラム３を防振的に支持するサスペンションである。６は前記の洗濯兼脱水ドラム２を回転させるモーター機構部（詳細省略）である。７はローラーの回転軸である。８は洗濯物である。
【００１０】  図３の４‘  は本発明ドラム式洗濯機の回転ローラーの一実施例で、長円筒形のローラーである。
【００１１】  図３の４“  は回転ローラーの他の実施例で、そろばん玉を並べた形状のローラーである。
【００１２】  以下、上記構成の動作を説明する。本発明のドラム式洗濯機１の洗濯兼脱水ドラム２が左右に回転駆動されると、図３の矢印に示すように、回転自在の回転ローラー４はくるくると回転して洗濯物を洗濯する。回転自在の回転ローラー４は洗濯物を強制的に攪拌することがないので、よじれの少ない洗濯ができる。実施例４‘  のローラーは長円筒のローラーで、洗濯物８はスムーズに攪拌されて洗濯される。他の実施例４“  のローラーはそろばん玉を並べた形状のもので、洗濯物８に与える機械力が大きくなり、よじれが少なく、しかも、洗濯効果が多大になる。
【産業上の利用可能性】
【００１３】  本発明はドラム式洗濯機の洗濯方法の改良に関するものであるが、食品の混合、攪拌、食品加工機器などにも応用できる。
【符号の説明】
【００１４】１    洗濯機本体
２    洗濯兼脱水ドラム
３    外槽ドラム
４    回転ローラー
４‘  長円筒形のローラー
４“  そろばん玉を並べた形状のローラー
５    サスペンション
６    モーター機構部
７    ローラーの回転軸
８    洗濯物
【図１】
2013013699.tif 000003
【図２】
2013013699.tif 000004
【図３】
2013013699.tif 000005
(57)【要約】【課題】顔のお手入れをする時、引き上げたり、伸ばしたりしながらマッサージをしてきたがたるんだ顔のしわ、皮膚、法令線等はすぐに元の位置に戻り顔のしわを引っ張り伸ばした状態で固定できるターバンは無かった。本発明はたるんだ顔の皮膚、しわ、法令線等を引き上げ、リフトアップし、また自分の加減で引き上げ具合を調整しながら固定でき気軽に使える美容ターバンを提供する。【解決の手段】野球のアンダーシャツの様な強い伸縮性のある生地素材を用い筒状に形成し筒の左右内側に耳の下からこめかみ辺を覆う幅の引き上げ帯を縫着し、縫着内部縁辺に沿って小幅のシリコン等滑り止め素材を設け、引き上げ帯は筒帯の幅を超え上方に長くうさぎの耳の様に伸びており、引き上げ帯を持ち上げ引っ張る事により、たるんだ顔のしわ、皮膚、法令線等を伸ばし、また伸ばした状態で引き上げ帯を縛る事により顔の皮膚を伸ばした状態で維持固定できる事を特徴とする引き上げ帯付きリフトアップターバン。【選択図】図１
2013013693.tif 000002
【特許請求の範囲】
【請求項１】
野球のアンダーシャツの様な強い伸縮性のある生地等の素材を用い頭に着けるターバンを筒状に形成し筒の左右内側に耳の下からこめかみ辺を覆う幅の引き上げ帯を縫着し縫着部内部辺縁に沿って小幅のシリコン滑り止め素材を設け、引き上げ帯は筒帯の幅を超え上方へ長いうさぎの耳の様に延びている事を特徴とする引き上げ帯付きリフトアップターバン。
【発明の詳細な説明】
【技術分野】
【０００１】本発明は、たるんだ顔の皮膚を持ち上げ引き伸ばした状態を簡単に固定維持し顔の自由なお手入れを手助けする目的のターバンに関するものである。
【背景技術】
【０００２】従来顔のしわ、たるみを伸ばすためには顔の皮膚を手で持ち上げ伸ばしながらマッサージしていた。化粧や洗顔時に利用する多目的ターバンは色々な先行技術が知られている（特許文献１参照）
【先行技術文献】
【０００３】
【特許文献１】特開平１０−１５５５３７
【発明の概要】
【発明が解決しようとする課題】
【０００４】加齢と共にたるんできた顔の皮膚、しわ、法令線等を、引き上げ伸ばしながらマッサージしていたが、たるんだ皮膚はすぐに元の位置に戻ってしまうのが悩みのタネだった。
そこで様々な多目的ターバンが考えられてきたが、それらは顔の手入れに際して邪魔になる髪をいかに保持固定し、パーマ液や洗髪液が洩れてこないように、いかにずれないようにするかという域を出なかった。構造的にもホック、ボタン、ひも、ヘアピン等を煩雑に利用せねばならなかった。顔面マッサージや、パック時に引き伸ばしてもすぐに戻ってしまうのが悩みのタネだった。顔のしわの処置に追われしわを伸ばした状態で自由に顔の手入れをする事は困難だった。
本発明は以上の問題点を解決するために成されたものである。
【課題を解決するための手段】
【０００５】野球のアンダーシャッの様な強い伸縮性のある生地素材を用い頭に着けるターバンを筒状に形成し、筒の左右内側に耳の下からこめかみ辺を覆う幅の引き上げ帯を縫着し、縫着部内部縁辺に沿って小幅のシリコン等の滑り止め素材を設け、引き上げ帯は筒帯の幅を超え上方へ長いうさぎの耳の様に伸びている。
本発明は以上の様に構成される引き上げ帯付きリフトアップターバンである
【発明の効果】
【０００６】引き上げ帯を少し後方へ引っ張るだけでたるんだ顔のしわ、法令線等を自分の加減で伸ばし引き上げた状態を維持しながら自由にフェッシャルマッサ−ジする事が出来るので、顔の引き上げ効果が期待できる。長い耳状の引き上げ帯を頭の上で縛り引いたり、緩めたりする事により顔の筋肉運動も気軽に行える。
またそのまま美容液を顔に付けターバンを装着する事により、顔がピーンと張って引き上がり、しわも伸びた状態で固定され、伸ばしたしわの溝に美容液を浸透させリフトアップさせながら放置出来るので、手がふさがる事もなく気軽に使えるグッズである。
【図面の簡単な説明】
【０００７】
【図１】  本発明の斜視図
【図２】  本発明の一部である引き上げ帯の平面図
【図３】  本発明の使用手順を示すイメージ図
【発明を実施するための形態】
【０００８】本発明の形態と使用方法以下、本発明の実施の形態を説明する。
野球のアンダーシャツの様な強い伸縮性のある生地素材を用い、頭に着けるターバンを筒状に形成し筒の左右内側に耳の下からこめかみ辺を覆う幅の引き上げ帯（３）を縫着し、縫着部内側縁辺に沿って小幅のシリコン等の滑り止め（４）を設け引き上げ帯（３）は筒の幅を超え、上方へ長いうさぎの耳の様に伸びている。
本発明は以上の様な構成で、以下これを実際に使用する際の手順を図３に沿って説明する。
筒体（２）の滑り止め（４）の付いた方からかぶり、耳まで一度下げ（ａ）筒体（２）の左右引き上げ帯（３）を引き上げる（ｂ）、この時耳は出さない。顔の皮膚全体にシリコン又は滑り止め（４）があたった状態で左右の引き上げ帯（３）を引き上げ（ｃ）、自分の加減でしわの引き伸ばし具合を調整しながら持ち上げる。持ち上げて丁度いい状態になったらその位置で左右の引き上げ帯（３）を結び縛る（ｄ）。なお、耳状引き上げ帯（３）の先端の飾り房（５）はデザイン的に色々と変化を持たせて楽しむ事が出来る。
【符号の説明】
【０００９】  １  引き上げ帯付きリフトアップターバン
２  筒帯
３  引き上げ帯
４  滑り止め
５  飾り房
【図１】
2013013693.tif 000003
【図２】
2013013693.tif 000004
【図３】
2013013693.tif 000005
(57)【要約】【課題】  本発明は、ＩＣカードの定期券や電子マネーをふくらみのあるケース本体とポケットの間に入れることにより落ちにくく保管でき、また、取り出し易くかつ個人情報を見えにくくするカードケースを提供する。【解決手段】  ケース本体芯紙の上に薄いクッション材を貼り付け、本体表面材で本体芯紙と薄いクッション材を覆、ポケット材を上にかぶせ、前記本体の裏面を内側にして２枚合わせ外周を縫製等で固定し、ストラップ取り付け具も挟み込み一緒に固定したことを特徴とする。【選択図】図１
2013013697.tif 000002
【特許請求の範囲】
【請求項１】
ケース本体芯紙の上に薄いクッション材を貼り付け、本体表面材で本体芯紙と薄いクッション材を覆、ポケット材を上にかぶせ、前記本体の裏面を内側にして２枚合わせ外周を縫製等で固定し、ストラップ取付具も挟み込み一緒に固定したことを特徴とするカードケース。
【発明の詳細な説明】
【技術分野】
【０００１】  本発明は、ＩＣカードの定期券や電子マネーをふくらみのあるケース本体とポケットの間に入れることにより、カードを落ちにくく保管でき、また、取り出し易く、かつ個人情報を見えにくいように工夫したカードケースに関するものである。
【背景技術】
【０００２】  従来、ＩＣカードなどのカードケースは、全体を覆うカバーが付いているものが多く、カードの取り出しがしにくいか、もしくは、取り出しを容易にするために、指でカードをスライドする穴が付いているが、その穴はデザインとして美しさを損ねていた。
【発明の概要】
【発明が解決しようとする課題】
【０００３】  本発明は、ＩＣカードを落ちにくくし、また、取り出し易くして、かつ個人情報を見えにくく保護するためになされたものである。
【課題を解決するための手段】
【０００４】  ケース本体の芯紙の上に、薄いクッション材を貼り付ける。
本体の表面材で本体の芯紙と薄いクッション材を覆う。
ポケット材を上にかぶせる。
前記本体の裏面を内側にして、２枚を合わせ、外周を縫製等で固定する。
その際、ストラップの取り付け具も挟み込み一緒に固定する。
以上の構成からなるカードケース
【発明の効果】
【０００５】  重要なＩＣカードをふくらみのある本体とポケットの間に、カードを入れることにより落ちにくく保管ができる。
ＩＣカードを電子マネーや定期券として使う際に使用するカードケースは、カードが紛失しにくく、かつ、チャージ等の場合にはカードの出し入れが簡単である。
ポケットの斜め部分からカードを取り出す際、本体が丸みを帯びていることにより、カードの角と本体の間に隙間ができるので取り出しやすい。
ポケットがカード面の大半を覆っているので、個人情報が保護される。
また、カード面に記入されている個人情報も見えにくい。
【図面の簡単な説明】
【０００６】
【図１】  本発明の表面の正面図である。
【図２】  本発明の断面図である。
【発明を実施するための形態】
【０００７】  以下本発明の実施の形態を説明する。
（イ）本体の芯紙（４）の表面全面に薄いクッション材（５）を貼りつける。
（ロ）クッション材（５）を貼りつけた本体（１）の表面を本体の表面材（６）で覆い、    その上面にポケット（２）を重ねる。
本体にふくらみをつけ、取り付け部を斜めにカットしたポケット（２）をつける。
（ハ）本体（１）を２枚用意し、中側を裏面にして重ね、間にストラップの取り付け具（    ３）を入れ外周を縫製などで固定する。
本体の表面材（６）が本体の芯紙（４）より大きい場合、本体の芯紙（４）の内側    に巻き込み固定すると美しい。
本発明は以上のような構成である。
本発明を使用するときは、重要なＩＣカードをふくらみのある本体とポケットの間に、カードを入れることにより、落ちにくく保管ができる。
ＩＣカードを電子マネーや定期券として使う際に使用するカードケースは、カードが紛失しにくく、かつ、チャージ等の場合にはカードの出し入れが簡単であることが望ましい。
ポケットの斜め部分からカードを取り出す際、本体が丸みを帯びていることにより、カードの角と本体の間に隙間ができるので取り出しやすい。
ポケットがカード面の大半を覆っているので、個人情報が保護される。
また、カード面に記入されている個人情報も見えにくい。
【符号の説明】
【０００８】    １  本体
２  ポケット
３  ストラップ付具
４  本体の芯材
５  本体のクッション材
６  本体の表面材
【図１】
2013013697.tif 000003
【図２】
2013013697.tif 000004
【手続補正書】
【提出日】平成24年4月9日(2012.4.9)
【手続補正１】
【補正対象書類名】明細書
【補正対象項目名】特許請求の範囲
【補正方法】変更
【補正の内容】
【特許請求の範囲】
【請求項１】  ケース本体芯紙の上に薄いクッション材を貼り付け、本体表面材で本体芯紙と薄いクッション材を覆い、ポケット材を上にかぶせ、ケース本体芯紙の裏面を内側にして２枚合わせ外周を縫製等で固定し、ストラップ取付具も挟み込み一緒に固定したことを特徴とするカードケース。
(57)【要約】      （修正有）【課題】低学年の子供たちの集中力の持続になり、サッカーに興味を持つ他の人々も楽しみながら利用することができるミニチュアサッカー作戦盤一式を提供する。【解決手段】磁性を有する作戦盤３において、作戦盤３表面にサッカーのフィールドを描きハーフウェーラインに沿って蝶番式のような折りたためる構造にし、選手人形の靴底にマグネットを設け、球面の一部を切り取った平面にマグネットを設けたミニチュアサッカーボールを形成し、これらを一式とするミニチュアサッカー作戦盤一式。【選択図】図２
2013013695.tif 000002
【特許請求の範囲】
【請求項１】
磁性を有するボードにおいて、ボード表面にサッカーのフィールドを描きハーフウェーラインに沿って蝶番式のような折りたためる構造にし、選手人形の靴底にマグネットを設け、球面の一部を切り取った平面にマグネットを設けたミニチュアサッカーボールを形成し、これら全体を一式として用意し使用することを特徴する。
【発明の詳細な説明】
【技術分野】
【０００１】  本発明はサッカーの陣形や動きの確認、検討、指導等の際に使用される作戦盤とその駒（マグネット付人形）に関するものである。
【背景技術】
【０００２】  一般的にサッカーにおいては作戦盤上に描かれたフィールドに合わせたサイズの色分けされた（または名前を張り付けされた）マグネットを配置し陣形や動きの確認、検討、指導等を行います。
【先行技術文献】
【０００３】
【特許文献１】特開２０１０−２８４４５５公報  特開０７−２９９１８２公報  実録実用新案第３０２３７３１号
【発明の概要】
【発明が解決しようとする課題】
【０００４】  一般的にサッカーのフィールドを描いた作戦盤上に選手の名前を張り付けた丸い形状のマグネットや色分けされた丸い形状のマグネットを選手の変わりとして利用していますが、低学年の子供たちに一定の時間持続して作戦盤上で陣形や動きの確認、検討、指導等をすることは難しい。これらの理由で色分けした丸い形状のマグネットでは興味が薄れ集中力がなくなってしまう。
【課題を解決するための手段】
【０００５】  磁性を有するボードにおいて、ボード表面にサッカーのフィールドを描きハーフウェーラインに沿って蝶番式のような折りたためる構造にし、選手人形の靴底にマグネットを設け、球面の一部を切り取った平面にマグネットを設けたミニチュアサッカーボールを形成し、これら全体を一式として用意する。
以上を特徴とするミニチュアサッカー作戦盤一式である。
【発明の効果】
【０００６】  この効果はマグネットによって風やその他の影響を受けにくく野外でも利用できボード上で倒れにくい。ビジュアルで低学年の子供たちの集中力の持続になり、サッカーに興味を持つ他の人々も楽しみながら利用することができます。サッカーの試合観戦後この作戦盤上で試合結果について仲間とサッカー選手のマグネット付人形で再現し自分たちの考えを話し合うことができます。たとえば、この場面でなら自分はこう攻めるべきだったとか、どう動くべきだったとかを作戦盤上で表現し他の考えと論議を楽しむことができます。更に家族間でも同様に、観戦したサッカーの試合をもう一度再現し楽しむことができます。特に子供達のサッカーの試合後サッカー選手のマグネット付人形に子供の名前や背番号をつけて、作戦盤上で、今回の試合で子供がどう動き活躍したかを再現しポジショニングや攻め方等を親子又は家族間話し合うことがでる貴重な時間となります
【図面の簡単な説明】
【０００７】
【図１】本発明の一部であるサッカー選手人形の斜視図
【図２】本発明の実施例を示すイメージ図
【図３】本発明の一部である磁性を有するボード上にサッカーのフィールドを描いた折りたたみ式作戦盤
【図４】本発明の一部であるミニチュアサッカーボールの正面図
【発明を実施するための形態】
【０００８】  以下、本発明の実施の形態を説明する。
磁性を有するボードにおいて、ボード表面にサッカーのフィールド（５）を描きハーフウェーライン（４）に沿って蝶番式のような折りたためる構造にし、サッカー選手人形（１）の靴底にマグネット（２）を設け、球面の一部を切り取った平面にマグネット（２）を設けたミニチュアサッカーボール（６）を形成し、これら全体を一式として用意する。
本発明は以上のような構造である。
本発明を使用するときは、作戦盤（３）上に描いたフィールド（５）の大きさに合わせたサイズのサッカー選手人形（１）の靴底にマグネット（２）を設け、球面の一部を切り取った平面にマグネット（２）を設けたミニチュアサッカーボール（６）の一式を使い、作戦盤（３）上を、サッカー選手人形（１）及びミニチュアサッカーボール（６）でよりリアルなサッカー選手の動きを再現し陣形や動きの確認、検討、指導等をします。
【符号の説明】
【０００９】１、サッカー選手人形
２、マグネット
３、作戦盤
４、ハーフウェーライン
５、フィールド
６、ミニチュアサッカーボール
【図１】
2013013695.tif 000003
【図２】
2013013695.tif 000004
【図３】
2013013695.tif 000005
【図４】
2013013695.tif 000006
(57)【要約】【課題】ひったくり防止の強化により全国の２０１０年に発生した引ったくりは１万４５５９件。ひったくられた人の中には脳障害を負い、リバビリをしているひともいる。バックは、第三者によりひったくりそうになると肩からスルリと抜けてしまい、第三者のひったくりを容易に実現してしまう。【解決手段】  バックに補助具を設けることでスルリとバック肩から抜けることは無く、肩から二の腕に移動することがあっても、二の腕に移動した箇所を掴むことにより、ひったくりをされてしまうことは無い。【選択図】図１
2013013700.tif 000002
【特許請求の範囲】
【請求項１】
第三者からバックがひったくられないようにバックに補助具を設けたことを特徴とするひったくり防止具。
【発明の詳細な説明】
【技術分野】
【０００１】  この発明は、バックのにひったくりを防止する補助具の形状に関する。
【背景技術】
【０００２】  バックを肩にかけた状態に図１に示すように肩の箇所にひったくり防止用の補助具がつけられた物である。
【先行技術文献】
【特許文献】
【０００３】
【発明の概要】
【発明が解決しようとする課題】
【０００５】  そこで、この発明は第三者からバックをひったくられないようにバックに補助具を設けたことを特徴とするひったくり防止具。
【課題を解決するための手段】
【０００６】  以上の課題を解決するために、この発明はバックの肩の箇所に図３のような補助具を設けたことを特徴とするものである。
【発明の効果】
【０００７】  この発明によればバックの肩の箇所に図３のような補助具を設けたので第三者によるひったくりを防止できる。
【図面の簡単な説明】
【０００８】
【図１】この発明の一実施形態を示す斜視図である。
【図２】従来の斜視図である。
【発明を実施するための形態】
【０００９】  この発明の一実施形態を、図１に示す。  本体のバックは布製であり、布製の補助具（図３参照）がセットされている。補助具は、容易に取り外しが可能で市販されているバックに長さを調整して使用可能な構造になっている。
【００１０】「実施形態の効果」  この実施形態によれば、第三者によりバックをひったくりそうになった時、スルリと肩からバックが抜けることは無い。万一、二の腕の箇所に肩から移動することがあっても二の腕に移動した箇所を掴むことによりひったくりを防止することが出来る。「他の実施形態」
【符号の説明】
【００１０】
【図１】
2013013700.tif 000003
【図２】
2013013700.tif 000004
【図３】
2013013700.tif 000005
【手続補正書】
【提出日】平成23年8月22日(2011.8.22)
【手続補正２】
【補正対象書類名】明細書
【補正対象項目名】０００８
【補正方法】変更
【補正の内容】
【０００８】
【図１】  この発明の一実施形態を示す斜視図である。
【図２】  従来の斜視図である。
【図３】  布製補助具の詳細図である。
(57)【要約】【課題】本発明は、一般用靴及び室内用シューズ等に小型楽器を付着したマラカス靴に関するものである。【解決手段】本発明は靴の足甲部上に飾り付き布ポケットを設け、その中にマラカス等の小型楽器を挿入装着し、リズム遊戯やリハビリ又はダンスダイエット用靴化するものである。【選択図】図１
2013013692.tif 000002
【特許請求の範囲】
【請求項１】
一般用靴及び室内用シューズに小型楽器を付着したマラカスシューズである。
【請求項２】
幼児子供用靴やリハビリ用シューズ及びダンス向けシューズにも適応可能。
【発明の詳細な説明】
【技術分野】
【０００１】本発明は室内又は屋外シューズに小型楽器を装着したダンス及び遊戯やリハビリ用リズム靴に関するものである。
【背景技術】
【０００２】従来、靴の底中央部に凸型硬質材を付着させた健康用リズムシューズ（特許文献１）はあった。
【先行技術文献】
【特許文献】
【０００３】
【特許文献１】特開平１１−３１８５０６号公報
【発明の概要】
【発明が解決しようとする課題】
【０００４】本発明はリズム音発生楽器の小型マラカスを靴上、足甲部に装着することにより、歩行時のリズム感養成やダンス及びリハビリ効果に適応するシューズを提供するものである。
【課題を解決するための手段】
【０００５】上記課題を解決する為に、本発明は靴の足甲部上に布ポケットを縫着し、その中に小型マラカスを挿入して、ステップ時にリズミカルな音を出す。
【発明の効果】
【０００６】一般子供向け靴では遊戯的リズム教育に利用でき、リハビリ用には椅子に坐した状態でも足首を上下運動で強化できる。又ダンスダイエット効果には社交ダンス、ＨＩＰＨＯＰ、タップその他のリズムステップが応用可能である。
【図面の簡単な説明】
【０００７】
【図１】マラカス装着図
【図２】老人用リハビリシューズの断面図
【図３】ダンスシューズの断面図
【発明を実施するための形態】
【０００８】以下、本発明の形態を説明する。
図１においては、１．靴本体に２．布ポケットを設け３．面ファスナーで開け４．小型マラカスを挿入する。５．サッカーボールは子供向けに６．ハート型、７．扁平型マラカスは一般向けに使用できる。又図２のリハビリ用靴踵部には６．接着テープの両面テープを利用でき、７．カスタネットの上面板を付着することでカスタネットとマラカスの２異音を楽しめる。図３の３．ダンスシューズ本体の底に４．滑りシートを縫着して滑走ステップにも使える。５．滑り止めは安全性を保持する。
【産業上の利用可能性】
【０００９】幼児、子供のリズム感養成やリハビリの補助用品にもなり、ダイエットダンスにも広く国境に関係なく利用可能である。
又、社交ダンスやタップダンス、ＨＩＰＨＯＰやムーンウオークその他のダンスステップの創作に寄与できる。
【図１】
2013013692.tif 000003
【図２】
2013013692.tif 000004
【図３】
2013013692.tif 000005